(57)【要約】【課題】ヘッドアップディスプレイに表示されるナビゲーション情報と運転者が実際に目視できる外界とのギャップをなくし、運転者に違和感や混乱を与えることがない「ナビゲーション装置およびナビゲーション情報の表示制御方法」を提供する。【解決手段】車両が案内交差点から所定距離手前に近づいたことが検出され、かつ、その地点から案内交差点を運転者が目視できる状況にあると判定された場合に、ＨＵＤ表示制御部８ｂがＨＵＤ３００にその案内交差点に関するナビゲーション情報を表示させることにより、案内交差点を運転者が目視できる状況にあるときに限り、その案内交差点に関するナビゲーション情報がＨＵＤ３００に表示されるようにし、ＨＵＤ３００に表示されるナビゲーション情報と運転者が実際に目視できる外界とのギャップをなくして運転者に違和感や混乱を与えることを防止する。【選択図】図１
2014052345.tif 000002
【特許請求の範囲】
【請求項１】
ヘッドアップディスプレイに対してナビゲーション情報を表示させるようになされたナビゲーション装置であって、
地図データに基づいて、車両が案内交差点から所定距離手前に近づいたか否かを検出する車両位置検出部と、
上記車両位置検出部により上記車両が上記案内交差点から所定距離手前に近づいたことが検出された場合、その地点から上記案内交差点を運転者が目視できる状況にあるか否かを判定する目視可否判定部と、
上記目視可否判定部により上記案内交差点を運転者が目視できる状況にあると判定された場合に、上記ヘッドアップディスプレイに上記案内交差点に関する上記ナビゲーション情報を表示させるように制御する表示制御部とを備えたことを特徴とするナビゲーション装置。
【請求項２】
上記目視可否判定部は、上記地図データに含まれる道路リンクのデータに基づいて、上記車両の前方にある上り坂の頂上の先に案内交差点があるか否かを判定することにより、上記案内交差点を運転者が目視できる状況にあるか否かを判定することを特徴とする請求項１に記載のナビゲーション装置。
【請求項３】
上記目視可否判定部は、上記地図データに含まれる道路リンクのデータに基づいて、上記車両の前方にある曲り道の先に案内交差点があるか否かを判定することにより、上記案内交差点を運転者が目視できる状況にあるか否かを判定することを特徴とする請求項１に記載のナビゲーション装置。
【請求項４】
上記目視可否判定部は、上記車両の前方に設置された撮像装置により撮影された画像を認識処理し、上記画像内に上記案内交差点が写っているか否かに基づいて、上記案内交差点を運転者が目視できる状況にあるか否かを判定することを特徴とする請求項１に記載のナビゲーション装置。
【請求項５】
上記表示制御部は、上記目視可否判定部により上記案内交差点を運転者が目視できる状況にないと判定された場合に、上記案内交差点に関する上記ナビゲーション情報とは別の情報として上記案内交差点までの距離を含む第１のナビゲーション情報を上記ヘッドアップディスプレイに表示させる一方、上記目視可否判定部により上記案内交差点を運転者が目視できる状況にあると判定された場合に、上記案内交差点に関する上記ナビゲーション情報として走行方向の案内矢印を含む第２のナビゲーション情報を上記ヘッドアップディスプレイに表示させるように制御することを特徴とする請求項１に記載のナビゲーション装置。
【請求項６】
上記車両位置検出部は、上記車両が上記案内交差点から第１の所定距離手前に近づいたか否かを検出し、その時点で上記目視可否判定部により上記案内交差点を運転者が目視できる状況にないと判定された場合、上記第１の所定距離より短い第２の所定距離手前に近づいたか否かを更に検出することを特徴とする請求項１に記載のナビゲーション装置。
【請求項７】
上記表示制御部は、上記目視可否判定部により上記案内交差点を運転者が目視できる状況にないと判定された場合に、上記案内交差点に関する上記ナビゲーション情報とは別の情報として上記案内交差点までの距離を含む第１のナビゲーション情報を上記ヘッドアップディスプレイに表示させる一方、上記目視可否判定部により上記案内交差点を運転者が目視できる状況にあると判定された場合に、上記案内交差点に関する上記ナビゲーション情報として走行方向の案内矢印を含む第２のナビゲーション情報を上記第１のナビゲーション情報に加えて上記ヘッドアップディスプレイに表示させるように制御することを特徴とする請求項６に記載のナビゲーション装置。
【請求項８】
上記表示制御部は、上記第１のナビゲーション情報および上記第２のナビゲーション情報を、上記車両が上記案内交差点を通過するまでの間、上記ヘッドアップディスプレイに表示させるように制御することを特徴とする請求項７に記載のナビゲーション装置。
【請求項９】
上記表示制御部は、上記ヘッドアップディスプレイに対して上記案内交差点に関する上記ナビゲーション情報を表示させるまでの間、上記車両のインストルメントパネルに設けられたインパネディスプレイに対して次の案内交差点に関するナビゲーション情報を表示させるように制御することを特徴とする請求項１に記載のナビゲーション装置。
【請求項１０】
ヘッドアップディスプレイに対するナビゲーション情報の表示状態を制御する表示制御方法であって、
ナビゲーション装置の車両位置検出部が、地図データに基づいて、車両が案内交差点から所定距離手前に近づいたか否かを検出する第１のステップと、
上記ナビゲーション装置の目視可否判定部が、上記第１のステップで上記車両が上記案内交差点から所定距離手前に近づいたことが検出された場合、その地点から上記案内交差点を運転者が目視できる状況にあるか否かを判定する第２のステップと、
上記ナビゲーション装置の表示制御部が、上記第２のステップで上記案内交差点を運転者が目視できる状況にあると判定された場合に、上記ヘッドアップディスプレイに上記案内交差点に関する上記ナビゲーション情報を表示させるように制御する第３のステップとを有することを特徴とするナビゲーション情報の表示制御方法。
【発明の詳細な説明】
【技術分野】
【０００１】
本発明は、ナビゲーション装置およびナビゲーション情報の表示制御方法に関し、特に、ヘッドアップディスプレイに対してナビゲーション情報を表示させるようになされたナビゲーション装置に用いて好適なものである。
【背景技術】
【０００２】
近年、運転者の視線移動を最少とし、運転中に必要な情報を見やすく表示するためのヘッドアップディスプレイ（ＨＵＤ）の普及が進んでいる。ヘッドアップディスプレイは、車両のフロントガラスへ画像を投影するようにしたものである。運転者は、運転中にフロントガラス越しに見る前方の実世界からわずかに視線を移動させるだけで、フロントガラス上に画像として映し出された様々な情報を見ることができる。車両のフロンガラス側に「コンバイナー」と呼ばれる半透明のスクリーンを設置し、運転情報をこのコンバイナーに反射させて運転者の視界に入れるようにしたものもある。
【０００３】
ヘッドアップディスプレイによりフロントガラスまたはコンバイナーに表示される情報の一例として、ナビゲーション装置の経路案内情報がある。従来、ダッシュボードあるいはセンターコンソールに設置された表示装置に詳細なナビゲーション情報を常時表示させる一方、車両が案内交差点の所定距離手前に近づいたときに簡易的なナビゲーション情報をヘッドアップディスプレイに表示させるようにしたナビゲーション装置が提案されている（例えば、特許文献１，２参照）。
【先行技術文献】
【特許文献】
【０００４】
【特許文献１】特開平７−１４６１５４号公報
【特許文献２】特開平９−１７８５０６号公報
【発明の概要】
【発明が解決しようとする課題】
【０００５】
上記特許文献１，２に記載の技術によれば、車両が案内交差点に近づくと、そこで曲がるべき方向を示す簡易ナビゲーション情報（右左折の矢印など）がヘッドアップディスプレイに表示されるので、運転者は視線を殆ど動かすことなく走行案内を受けることができる。この場合、フロントガラス越しに見える実際の案内交差点に関する簡易ナビゲーション情報がフロントガラス上に表示されるので、運転者にとって直感的に分かりやすい走行案内となる。
【０００６】
しかしながら、例えば、車両の前方が上り坂になっていてその頂上の先に案内交差点がある場合や、車両の前方が曲り道になっていてその先に案内交差点がある場合など、フロントガラス越しに実際の案内交差点を目視することができないときがある。このような場合は、実世界に見えるものとヘッドアップディスプレイに表示された情報とにギャップがあるため、運転者に違和感あるいは混乱を与えてしまうことになる。この違和感あるいは混乱を解消するために運転者は、ヘッドアップディスプレイに表示されている簡易ナビゲーション情報に相当する地点を確認するために、ダッシュボード等に設置された表示装置の方に視線を変えて詳細ナビゲーション情報を見る必要があった。
【０００７】
本発明は、このような問題を解決するために成されたものであり、車両が案内交差点に近づいたときにヘッドアップディスプレイに表示されるナビゲーション情報と運転者が実際に目視できる外界とのギャップをなくし、運転者に違和感や混乱を与えることがないようにすることを目的とする。
【課題を解決するための手段】
【０００８】
上記した課題を解決するために、本発明では、車両が案内交差点から所定距離手前に近づいたことが検出され、かつ、その地点から案内交差点を運転者が目視できる状況にあると判定された場合に、ヘッドアップディスプレイにその案内交差点に関するナビゲーション情報を表示させるようにしている。
【発明の効果】
【０００９】
上記のように構成した本発明によれば、車両が案内交差点から所定距離手前に近づいても、その地点から案内交差点を運転者が目視できない状況にある場合には、その案内交差点に関するナビゲーション情報はヘッドアップディスプレイに表示されない。案内交差点から所定距離手前の地点において運転者が案内交差点を目視できる状況にあるときに限り、その案内交差点に関するナビゲーション情報がヘッドアップディスプレイに表示されるので、車両が案内交差点に近づいたときにヘッドアップディスプレイに表示されるナビゲーション情報と運転者が実際に目視できる外界とのギャップがなくなり、運転者に違和感や混乱を与えることを防止することができる。
【図面の簡単な説明】
【００１０】
【図１】第１の実施形態によるナビゲーション装置の機能構成例を示すブロック図である。
【図２】第１の実施形態によるＨＵＤ表示制御部によってＨＵＤに表示される情報の一例を示す図である。
【図３】第１の実施形態によるナビゲーション装置の動作例（ＨＵＤに対する簡易ナビゲーション情報の表示制御方法）を示すフローチャートである。
【図４】第１の実施形態によるナビゲーション装置の変形例を示すブロック図である。
【図５】第２の実施形態によるナビゲーション装置の機能構成例を示すブロック図である。
【図６】第２の実施形態によるＨＵＤ表示制御部によってＨＵＤに表示される情報およびＩＰＤ表示制御部によってＩＰＤに表示される情報の一例を示す図である。
【図７】第２の実施形態によるナビゲーション装置の動作例（ＨＵＤに対する簡易ナビゲーション情報およびＩＰＤに対する近未来ナビゲーション情報の表示制御方法）を示すフローチャートである。
【発明を実施するための形態】
【００１１】
（第１の実施形態）
以下、本発明の一実施形態を図面に基づいて説明する。図１は、第１の実施形態によるナビゲーション装置１００の機能構成例を示すブロック図である。図１に示すように、第１の実施形態によるナビゲーション装置１００には、液晶表示装置（ＬＣＤ）２００およびヘッドアップディスプレイ（ＨＵＤ）３００が接続されている。ＬＣＤ２００は、車両のダッシュボードあるいはセンターコンソールに設置されている。
【００１２】
第１の実施形態によるナビゲーション装置１００は、その機能構成として、地図データ記憶部１、読出制御部２、地図データメモリ３、現在位置測定装置４、目的地設定部５、誘導経路探索部６、誘導経路メモリ７、走行案内部８、車両位置検出部９および目視可否判定部１０を備えている。また、走行案内部８は、その具体的な機能構成として、ＬＣＤ表示制御部８ａおよびＨＵＤ表示制御部８ｂを備えている。
【００１３】
なお、読出制御部２、目的地設定部５、誘導経路探索部６、走行案内部８、車両位置検出部９および目視可否判定部１０の各機能は、ハードウェア、ＤＳＰ（Digital Signal Processor）、ソフトウェアの何れによっても実現することが可能である。例えばソフトウェアによって実現する場合、上記各機能は、実際にはナビゲーション装置１００が備えるＣＰＵまたはＭＰＵ、ＲＡＭ、ＲＯＭなどを備えて構成され、ＲＡＭやＲＯＭに記憶されたプログラムが動作することにより実現される。
【００１４】
上記プログラムを記録する記録媒体としては、ＲＡＭやＲＯＭの他に、ハードディスクや半導体メモリ等を用いることができる。また、上記プログラムをインターネット等のネットワークを介してナビゲーション装置１００にダウンロードするようにしてもよい。
【００１５】
地図データ記憶部１は、地図表示や経路探索などに必要な地図データを記憶するものであり、例えばハードディスクにより構成される。なお、地図データ記憶部１を構成する記録媒体としては、ハードディスクの他に、ＤＶＤ、ＣＤ−ＲＯＭ、半導体メモリなどを用いても良い。
【００１６】
地図データ記憶部１に記録された地図データには、地図表示に必要な各種の描画データと、マップマッチングや経路探索、経路案内等の各種の処理に必要な道路データとが含まれている。道路データの中には、道路や車線等に対応する道路リンクに関するデータと、各道路リンクの両端に位置するノードに関するデータとが含まれている。道路リンクに関するデータの中には、その道路の勾配を表す勾配データと、道路の実際の形状を表す道路形状要素点のデータとが含まれている。
【００１７】
読出制御部２は、地図データ記憶部１から地図データを読み出して地図データメモリ３に一時的に格納させる制御を行う。車両の現在位置周辺の地図をＬＣＤ２００に表示する場合、読出制御部２は、現在位置測定装置４から車両の現在位置情報を入力し、その車両現在位置を含む所定範囲の地図データを地図データ記憶部１から読み出して地図データメモリ３に格納する。また、誘導経路を探索する場合、読出制御部２は、現在地から目的地までを含む所定範囲の地図データを地図データ記憶部１から読み出して地図データメモリ３に格納する。
【００１８】
現在位置測定装置４は、車両の現在位置を測定するものであり、自立航法センサ、ＧＰＳ受信機、位置計算用ＣＰＵ等で構成されている。自立航法センサは、所定走行距離毎に１個のパルスを出力して車両の移動距離を検出する車速センサ（距離センサ）と、車両の回転角度（移動方位）を検出する振動ジャイロ等の角速度センサ（相対方位センサ）とを含む。自立航法センサは、これらの車速センサおよび角速度センサによって車両の相対位置および方位を検出する。
【００１９】
位置計算用ＣＰＵは、自立航法センサから出力される自車の相対的な位置および方位のデータに基づいて、絶対的な自車位置（推定車両位置）および車両方位を計算する。また、ＧＰＳ受信機は、複数のＧＰＳ衛星から送られてくる電波をＧＰＳアンテナで受信して、３次元測位処理あるいは２次元測位処理を行って車両の絶対位置および方位を計算する（車両方位は、現時点における自車位置と１サンプリング時間ΔＴ前の自車位置とに基づいて計算する）。
【００２０】
目的地設定部５は、図示しない操作部に対するユーザの操作に応じて、誘導経路の目的地を設定する。誘導経路探索部６は、地図データメモリ３に格納された地図データを用いて、現在位置測定装置４により測定された車両の現在地から目的地設定部５により設定された目的地までを結ぶ最もコストが小さな誘導経路を探索する処理を行う。誘導経路メモリ７は、誘導経路探索部６により探索された誘導経路のデータを一時的に格納する。
【００２１】
走行案内部８は、地図データメモリ３に記憶された地図データや誘導経路メモリ７に記憶された誘導経路データを用いて、車両の走行案内を行う。例えば、走行案内部８のＬＣＤ表示制御部８ａは、地図データメモリ３に記憶された地図データを用いて、現在位置測定装置４により測定された車両現在位置の周辺における詳細ナビゲーション情報をＬＣＤ２００に常時表示させることにより、車両が現在どこを走行しているのかを運転者が一目で分かるようにする。
【００２２】
また、誘導経路が設定されている場合、ＬＣＤ表示制御部８ａは、誘導経路メモリ７に記憶された誘導経路データを更に用いて、誘導経路を他の道路とは色を変えて太く描画する。また、ＬＣＤ表示制御部８ａは、車両が誘導経路上の案内交差点の所定距離手前に近づいたときに、ＬＣＤ２００に交差点拡大画像を表示して進行方向の交差点案内を行うことにより、運転者を目的地まで案内する。
【００２３】
また、走行案内部８のＨＵＤ表示制御部８ｂは、本発明の表示制御部に相当するものであり、所定のタイミングで簡易ナビゲーション情報（本発明の第２のナビゲーション情報に相当）をＨＵＤ３００に表示させるように制御する。第１の実施形態において、簡易ナビゲーション情報は、案内交差点における進行方向を表す矢印と、案内交差点を通過した後に走行する道路の名称である。なお、簡易ナビゲーション情報をＨＵＤ３００に表示させる所定のタイミングは、車両位置検出部９および目視可否判定部１０によって検出する。
【００２４】
車両位置検出部９は、地図データメモリ３に記憶された地図データ、誘導経路メモリ７に記憶された誘導経路データおよび現在位置測定装置４により測定された車両現在位置の情報に基づいて、車両が案内交差点から所定距離手前に近づいたか否かを検出する。
【００２５】
目視可否判定部１０は、車両位置検出部９により車両が案内交差点から所定距離手前に近づいたことが検出された場合、その地点から案内交差点を運転者が目視できる状況にあるか否かを判定する。具体的には、目視可否判定部１０は、地図データメモリ３に記憶された地図データに含まれる道路リンクの勾配データに基づいて、車両の現在位置前方に上り坂があって、その頂上の先に案内交差点があるか否かを判定することによって、案内交差点を運転者が目視できる状況にあるか否かを判定する。ここで、車両の現在位置前方にある上り坂の頂上の先に案内交差点がある場合は、運転者が案内交差点を目視できないと判定する。
【００２６】
また、目視可否判定部１０は、地図データメモリ３に記憶された地図データに含まれる道路リンクの道路形状要素点データに基づいて、車両の現在位置前方に曲り道があって、その先に案内交差点があるか否かを判定することによって、案内交差点を運転者が目視できる状況にあるか否かを判定する。ここで、車両の現在位置前方にある曲り道の先に案内交差点がある場合は、運転者が案内交差点を目視できないと判定する。
【００２７】
ＨＵＤ表示制御部８ｂは、車両位置検出部９により車両が案内交差点から所定距離手前に近づいたことが検出され、かつ、目視可否判定部１０により案内交差点を運転者が目視できる状況にあると判定された場合に、案内交差点に関する簡易ナビゲーション情報をＨＵＤ３００に表示させるように制御する。図２は、ＨＵＤ表示制御部８ｂによってＨＵＤ３００に表示される情報の一例を示す図である。
【００２８】
図２（ａ）は、車両が案内交差点から第１の所定距離（例えば５００メートル）手前に近づいたが、そこから前方の道路が登り坂または曲り道になっていて、案内交差点を運転者がまだ目視できない状況であると判定された場合の表示例を示している。この例では、案内交差点までの距離と、現在走行中の道路の名称とが表示されていて、簡易ナビゲーション情報である進行方向の矢印および案内交差点通過後の道路の名称は表示されていない。
【００２９】
この図２（ａ）の状況で表示される案内交差点までの距離および現在走行中の道路名称は、運転者が案内交差点を目視できなくても、運転者に違和感や混乱を与えずに運転者の走行を支援できる情報であり、本発明の第１のナビゲーション情報に相当する。以下ではこの情報を「最少ナビゲーション情報」と呼ぶことにする。
【００３０】
図２（ｂ）は、車両が案内交差点から第２の所定距離（例えば１００メートル）手前に近づいた状況で、かつ、そこから前方の案内交差点を運転者が目視できる状況であると判定された場合の表示例を示している。この例では、最少ナビゲーション情報である案内交差点までの距離および現在走行中の道路名称に加えて、簡易ナビゲーション情報である進行方向の矢印および案内交差点通過後の道路名称が表示されている。
【００３１】
図２（ｃ）は、車両が案内交差点に進入したときの表示例を示している。車両が案内交差点に実際に進入しているときに、その案内交差点を運転者が目視できない状況ということはあり得ない。よって、この場合は必ず、最少ナビゲーション情報に加えて簡易ナビゲーション情報が表示される。なお、図２（ｃ）の状況では図２（ｂ）の状況よりも車両が案内交差点に近づいているので、その臨場感を出すために、簡易ナビゲーション情報の表示のし方が変わっている。具体的には、簡易ナビゲーション情報が少し拡大して強調表示されている。
【００３２】
なお、図２では、車両が案内交差点から第１の所定距離手前に近づいたときに案内交差点を運転者が目視できない状況であるという例を示したが、この段階で既に案内交差点を運転者が目視できる状況であると判定された場合は、その時点ですぐに最少ナビゲーション情報に加えて簡易ナビゲーション情報も表示される。この場合、車両位置検出部９は、車両が第２の所定距離手前に近づいたか否かを判定する必要はない。すなわち、ＨＵＤ表示制御部８ｂは、第１の所定距離手前の地点から案内交差点を通過するまでの間、簡易ナビゲーション情報をＨＵＤ３００に表示させるように制御する。
【００３３】
また、図２の例では、車両が案内交差点から第１の所定距離手前に近づいた時点で、案内交差点を運転者が目視できるか否かにかかわらず、車両現在位置から案内交差点までの距離および現在走行中の道路名称を最少ナビゲーション情報としてＨＵＤ３００に表示させるようにしているが、この例に限定されるものではない。例えば、案内交差点までの距離および現在走行中の道路名称も簡易ナビゲーション情報の構成要素として捉え、案内交差点を運転者が目視できる状況になったときに限り表示させるようにしてもよい。
【００３４】
図３は、上記のように構成した第１の実施形態によるナビゲーション装置１００の動作例（ＨＵＤ３００に対する簡易ナビゲーション情報の表示制御方法）を示すフローチャートである。なお、図３に示すフローチャートは、誘導経路を設定して走行を始めたときに開始する。
【００３５】
まず、車両位置検出部９は、車両が案内交差点から第１の所定距離手前に近づいたか否かを検出する（ステップＳ１）。ここで、車両が案内交差点から第１の所定距離手前にまだ近づいていない場合は、ステップＳ１の判定を繰り返し行う。一方、車両が案内交差点から第１の所定距離手前に近づいた場合、目視可否判定部１０は、その第１の所定距離手前の地点から案内交差点を運転者が目視できる状況にあるか否かを判定する（ステップＳ２）。
【００３６】
ここで、運転者が案内交差点を目視できる状況にないと判定された場合、ＨＵＤ表示制御部８ｂは、最少ナビゲーション情報のみをＨＵＤ３００に表示させるように制御する（ステップＳ３）。その後、車両位置検出部９は、車両が案内交差点から第２の所定距離手前に近づいたか否かを検出する（ステップＳ４）。ここで、車両が案内交差点から第２の所定距離手前にまだ近づいていない場合、処理はステップＳ３に戻る。
【００３７】
一方、車両が案内交差点から第２の所定距離手前に近づいた場合、目視可否判定部１０は、その第２の所定距離手前の地点から案内交差点を運転者が目視できる状況にあるか否かを判定する（ステップＳ５）。ここで、運転者が案内交差点を目視できる状況にないと判定された場合、車両位置検出部９は、車両が案内交差点に進入したか否かを検出する（ステップＳ６）。ここで、車両が案内交差点にまだ進入していない場合は、ステップＳ６の判定を繰り返し行う。
【００３８】
上記ステップＳ２または上記ステップＳ５で運転者が案内交差点を目視できる状況にあると判定された場合、または、ステップＳ６で車両が案内交差点に進入したと判定された場合、ＨＵＤ表示制御部８ｂは、最少ナビゲーション情報に加えて、案内交差点に関する簡易ナビゲーション情報をＨＵＤ３００に表示させるように制御する（ステップＳ７）。
【００３９】
その後、車両位置検出部９は、車両が案内交差点を通過したか否かを判定する（ステップＳ８）。案内交差点をまだ通過していない場合、処理はステップＳ７に戻る。一方、案内交差点を通過した場合、ＨＵＤ表示制御部８ｂは、ＨＵＤ３００に表示されている最少ナビゲーション情報および簡易ナビゲーション情報を消去する（ステップＳ９）。
【００４０】
最後に、車両位置検出部９は、車両が誘導経路の目的地に到着したか否かを判定する（ステップＳ１０）。まだ目的地に到着していない場合、処理はステップＳ１に戻る。一方、目的地に到着した場合は、図３に示すフローチャートの処理を終了する。
【００４１】
以上詳しく説明したように、第１の実施形態では、車両が案内交差点から所定距離手前に近づいたことが検出され、かつ、その地点から案内交差点を運転者が目視できる状況にあると判定された場合に、ＨＵＤ３００にその案内交差点に関する簡易ナビゲーション情報を表示させるようにしている。
【００４２】
このように構成した第１の実施形態によれば、案内交差点から所定距離手前の地点において運転者が案内交差点を目視できる状況にあるときに限り、その案内交差点に関する簡易ナビゲーション情報がＨＵＤ３００に表示されるので、車両が案内交差点に近づいたときにＨＵＤ３００に表示される簡易ナビゲーション情報と運転者が実際に目視できる外界とのギャップがなくなり、運転者に違和感や混乱を与えることを防止することができる。
【００４３】
なお、上記第１の実施形態では、道路リンクのデータに基づいて運転者が案内交差点を目視できる状況にあるか否かを判定する例について説明したが、本発明はこれに限定されない。例えば、図４に示すように、車両の前方に設置した撮像装置４００により撮影された画像を認識処理することにより、運転者が案内交差点を目視できる状況にあるか否かを判定するようにしてもよい。
【００４４】
図４に示す例では、ナビゲーション装置１００は、その機能構成として、画像入力部１１を更に備える。画像入力部１１には、撮像装置４００が接続されている。また、図１に示した目視可否判定部１０に代えて、目視可否判定部１０’を備えている。
【００４５】
目視可否判定部１０’は、撮像装置４００により撮影され画像入力部１１により入力された画像を認識処理し、画像内に案内交差点が写っているか否かに基づいて、運転者が案内交差点を目視できる状況にあるか否かを判定する。案内交差点であるか否かは、例えば、信号機や横断歩道など一般的に交差点に存在するものが写っているか否か、信号機等に取り付けられた標識板に書かれている交差点名が、地図データに記憶されている案内交差点の交差点名と一致するか否かなどの観点から判定することが可能である。
【００４６】
（第２の実施形態）
次に、本発明の第２の実施形態を図面に基づいて説明する。図５は、第２の実施形態によるナビゲーション装置１００の機能構成例を示すブロック図である。なお、この図５において、図１に示した符号と同一の符号を付したものは同一の機能を有するものであるので、ここでは重複する説明を省略する。
【００４７】
図５に示すように、第２の実施形態によるナビゲーション装置１００には、車両のインストルメントパネルに設けられたインパネディスプレイ（ＩＰＤ）５００が更に接続されている。ＩＰＤ５００は、ＨＵＤ３００ほど視線移動の量が少なくないものの、ＬＣＤ２００ほど多くの視線移動を要することなく、比較的少ない量の視線移動で情報を見ることができる位置に設置されている。
【００４８】
第２の実施形態によるナビゲーション装置１００は、走行案内部８の機能構成として、図１に示したＬＣＤ表示制御部８ａおよびＨＵＤ表示制御部８ｂに加えて、ＩＰＤ表示制御部８ｃを備えている。このＩＰＤ表示制御部８ｃも、本発明の表示制御部に相当する。
【００４９】
ＩＰＤ表示制御部８ｃは、ＨＵＤ表示制御部８ｂがＨＵＤ３００に対して案内交差点に関する簡易ナビゲーション情報を表示させるまでの間、次の案内交差点に関するナビゲーション情報をＩＰＤ５００に表示させるように制御する。なお、簡易ナビゲーション情報を表示させるまでの間というのは、次の案内交差点を運転者がまだ目視できていないものの、これから先の直近で必ず通過する案内交差点の近傍に到達するまでの間ということである。そこで、この間に表示するナビゲーション情報のことを「近未来ナビゲーション情報」と呼ぶことにする。
【００５０】
図６は、ＨＵＤ表示制御部８ｂによってＨＵＤ３００に表示される情報およびＩＰＤ表示制御部８ｃによるＩＰＤ５００に表示される情報の一例を示す図である。なお、図６において、上の段に示したものがＨＵＤ３００の表示例であり、下の段に示したものがＩＰＤ５００の表示例である。ＨＵＤ３００の表示例は、図２に示した第１の実施形態と同様である。
【００５１】
図６（ａ）は、車両が案内交差点から第１の所定距離手前に近づいたが、そこから前方の道路が登り坂または曲り道になっていて、案内交差点を運転者がまだ目視できない状況であると判定された場合の表示例を示している。この例では、ＨＵＤ３００には最少ナビゲーション情報のみが表示されていて、簡易ナビゲーション情報は表示されていない。
【００５２】
これに対して、ＩＰＤ５００には、次の案内交差点に関する近未来ナビゲーション情報が表示されている。この場合における次の案内交差点とは、現在位置から第１の所定距離（５００メートル）先にある案内交差点のことである。また、近未来ナビゲーション情報とは、例えば、案内交差点の簡易図形（デフォルメ図形）、走行方向の矢印、案内交差点の通過前後に走行する道路の名称、ランドマーク等により構成される情報であるとする。
【００５３】
運転者が視線を殆ど動かさなくても見られるフロントガラス上のＨＵＤ３００には、最少ナビゲーション情報しか表示されない。そのため、運転者が、ＨＵＤ３００に表示されている簡易ナビゲーション情報に相当する案内交差点を確認したいと考えるかもしれない。その場合でも、運転者が視線を大きく移動させてＬＣＤ２００の詳細ナビゲーション情報を確認する必要はなく、必要最小限の視線移動で、ＩＰＤ５００に表示された近未来ナビゲーション情報によって次の案内交差点を確認することができる。
【００５４】
図６（ｂ）は、車両が案内交差点から第２の所定距離手前に近づいた状況で、かつ、そこから前方の案内交差点を運転者が目視できる状況であると判定された場合の表示例を示している。この例では、ＨＵＤ３００には最少ナビゲーション情報と簡易ナビゲーション情報との両方が表示されている。
【００５５】
また、ＩＰＤ５００には、次の案内交差点に関する近未来ナビゲーション情報が表示されている。この場合における次の案内交差点とは、まだ簡易ナビゲーション情報が表示されていない次の案内交差点のことである。すなわち、現在位置から第２の所定距離（１００メートル）先にある案内交差点のことではなく、その次の案内交差点のことである。
【００５６】
図６（ｃ）は、車両が案内交差点に進入したときの表示例を示している。案内交差点に進入した場合は、ＨＵＤ３００には最少ナビゲーション情報と簡易ナビゲーション情報とが引き続き表示され、ＩＰＤ５００には近未来ナビゲーション情報が引き続き表示されている。図６（ｄ）は、案内交差点を通過した後の表示例を示している。案内交差点を通過した場合は、ＨＵＤ３００からは最少ナビゲーション情報と簡易ナビゲーション情報の表示が消去されるが、ＩＰＤ５００には次の案内交差点に関する近未来ナビゲーション情報が引き続き表示される。
【００５７】
このように、第２の実施形態によれば、ＩＰＤ５００には次の案内交差点に関する近未来ナビゲーション情報が表示され続ける。これにより、運転者は、ＨＵＤ３００に簡易ナビゲーション情報が表示されていないときに次の案内交差点を確認しておきたいと考える場合には、必要最小限の視線移動で、ＩＰＤ５００に表示された近未来ナビゲーション情報によって確認することができる。
【００５８】
また、第２の実施形態によれば、次のようなメリットもある。すなわち、１つの案内交差点を通過してから次の案内交差点の手前に到達するまでの間は、ＬＣＤ２００の詳細ナビゲーション情報を見ても次の案内交差点に関する情報は表示されておらず、これを確認することができない。これに対して、ＩＰＤ５００を見れば、いつでも次の案内交差点に関する情報を確認することができる。次の案内交差点の近傍に到達したときにＨＵＤ３００に表示される簡易ナビゲーション情報の予備知識をあらかじめ得ておくこともできる。
【００５９】
図７は、上記のように構成した第２の実施形態によるナビゲーション装置１００の動作例（ＨＵＤ３００に対する簡易ナビゲーション情報およびＩＰＤ５００に対する近未来ナビゲーション情報の表示制御方法）を示すフローチャートである。なお、図７に示すフローチャートは、誘導経路を設定して走行を始めたときに開始する。
【００６０】
まず、ＩＰＤ表示制御部８ｃは、次の案内交差点に関する近未来ナビゲーション情報をＩＰＤ５００に表示させる（ステップＳ１１）。次に、車両位置検出部９は、車両が案内交差点から第１の所定距離手前に近づいたか否かを検出する（ステップＳ１２）。ここで、車両が案内交差点から第１の所定距離手前にまだ近づいていない場合は、ステップＳ１２の判定を繰り返し行う。一方、車両が案内交差点から第１の所定距離手前に近づいた場合、目視可否判定部１０は、その第１の所定距離手前の地点から案内交差点を運転者が目視できる状況にあるか否かを判定する（ステップＳ１３）。
【００６１】
ここで、運転者が案内交差点を目視できる状況にないと判定された場合、ＨＵＤ表示制御部８ｂは、最少ナビゲーション情報のみをＨＵＤ３００に表示させるように制御する（ステップＳ１４）。その後、車両位置検出部９は、車両が案内交差点から第２の所定距離手前に近づいたか否かを検出する（ステップＳ１５）。ここで、車両が案内交差点から第２の所定距離手前にまだ近づいていない場合、処理はステップＳ１４に戻る。
【００６２】
一方、車両が案内交差点から第２の所定距離手前に近づいた場合、目視可否判定部１０は、その第２の所定距離手前の地点から案内交差点を運転者が目視できる状況にあるか否かを判定する（ステップＳ１６）。ここで、運転者が案内交差点を目視できる状況にないと判定された場合、車両位置検出部９は、車両が案内交差点に進入したか否かを検出する（ステップＳ１７）。ここで、車両が案内交差点にまだ進入していない場合は、ステップＳ１７の判定を繰り返し行う。
【００６３】
上記ステップＳ１３または上記ステップＳ１６で運転者が案内交差点を目視できる状況にあると判定された場合、または、ステップＳ１７で車両が案内交差点に進入したと判定された場合、ＩＰＤ表示制御部８ｃは、ＩＰＤ５００に表示中の近未来ナビゲーション情報を次の案内交差点に関するものに更新させる（ステップＳ１８）。さらに、ＨＵＤ表示制御部８ｂは、最少ナビゲーション情報に加えて、案内交差点に関する簡易ナビゲーション情報をＨＵＤ３００に表示させるように制御する（ステップＳ１９）。
【００６４】
その後、車両位置検出部９は、車両が案内交差点を通過したか否かを判定する（ステップＳ２０）。案内交差点をまだ通過していない場合、処理はステップＳ９に戻る。一方、案内交差点を通過した場合、ＨＵＤ表示制御部８ｂは、ＨＵＤ３００に表示されている最少ナビゲーション情報および簡易ナビゲーション情報を消去する（ステップＳ２１）。
【００６５】
最後に、車両位置検出部９は、車両が誘導経路の目的地に到着したか否かを判定する（ステップＳ２２）。まだ目的地に到着していない場合、処理はステップＳ１２に戻る。一方、目的地に到着した場合は、図７に示すフローチャートの処理を終了する。
【００６６】
以上詳しく説明したように、第２の実施形態においても第１の実施形態と同様に、車両が案内交差点から所定距離手前に近づいたことが検出され、かつ、その地点から案内交差点を運転者が目視できる状況にあると判定された場合に、ＨＵＤ３００にその案内交差点に関する簡易ナビゲーション情報を表示させるようにしている。これにより、車両が案内交差点に近づいたときにＨＵＤ３００に表示される簡易ナビゲーション情報と運転者が実際に目視できる外界とのギャップがなくなり、運転者に違和感や混乱を与えることを防止することができる。
【００６７】
また、第２の実施形態では、ＨＵＤ３００に対して案内交差点に関する簡易ナビゲーション情報を表示させるまでの間、ＩＰＤ５００に対して次の案内交差点に関する近未来ナビゲーション情報を表示させるようにしている。これにより、運転者は、ＨＵＤ３００に簡易ナビゲーション情報が表示されていない場合で、次の案内交差点を確認しておきたいと考えるときにはいつでも、必要最小限の視線移動で、ＩＰＤ５００に表示された近未来ナビゲーション情報によって確認を行うことができる。
【００６８】
なお、上記第２の実施形態では、図１の構成に対してＩＰＤ表示制御部８ｃおよびＩＰＤ５００を加える構成例について説明したが、本発明はこれに限定されない。すなわち、図４の構成に対してＩＰＤ表示制御部８ｃおよびＩＰＤ５００を加える構成としてもよい。
【００６９】
また、上記第１および第２の実施形態では、案内交差点における進行方向の矢印と案内交差点通過後の道路の名称とを簡易ナビゲーション情報として表示する例について説明したが、本発明はこれに限定されない。例えば、簡易ナビゲーション情報は進行方向の矢印表示のみであってもよい。
【００７０】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００７１】
８  走行案内部
８ａ  ＬＣＤ表示制御部
８ｂ  ＨＵＤ表示制御部（表示制御部）
８ｃ  ＩＰＤ表示制御部（表示制御部）
９  車両位置検出部
１０，１０’  目視可否判定部
【図１】
2014052345.tif 000003
【図２】
2014052345.tif 000004
【図３】
2014052345.tif 000005
【図４】
2014052345.tif 000006
【図５】
2014052345.tif 000007
【図６】
2014052345.tif 000008
【図７】
2014052345.tif 000009